(57)【要約】【課題】空調システムの省エネルギ対策。【解決手段】冷媒回路（110）を有する空調装置（100）と、室内の調湿を行う調湿装置（10）とを備えた空調システムを対象としている。冷媒回路（110）を循環する冷媒の冷媒熱を得て、調湿装置（10）へ取り込まれる室内空気への予備加熱と予備冷却とを切り換えて行う予備熱交換部（114）を備えている。【選択図】図１
2010121876.tif 000002
【特許請求の範囲】
【請求項１】
圧縮機（105）と、熱源側熱交換器（103）と、膨張機構（106）と、利用側熱交換器（104）とが順に接続されて蒸気圧縮式冷凍サイクルを行う冷媒回路（110）を備え、該冷媒回路（110）の冷媒循環方向を可逆に切り換えることで室内（3）の暖房運転、又は冷房運転を行う空気調和装置（100）と、
室外空気を取り込んで、冷却した吸着剤へ室外空気を通過させて水分を回収して室内へ供給する吸着動作と、室内空気を取り込んで、加熱した吸着剤へ室内空気を通過させて水分を付与して室外へ排出する再生動作とが同時に行われる除湿運転と、室外空気を取り込んで、加熱した吸着剤へ室外空気を通過させて水分を付与して室内へ供給する再生動作と、室内空気を取り込んで、冷却した吸着剤へ室内空気を通過させて水分を回収して室外へ排出する吸着動作とが同時に行われる加湿運転とを選択的に行う調湿装置（10）とを備えた空気調和システムであって、
上記冷媒回路（110）を循環する冷媒熱を得て上記調湿装置（10）へ取り込まれる室内空気の予備加熱と予備冷却とを切り換えて行う予備熱交換手段（114）を備えている
ことを特徴とする空気調和システム。
【請求項２】
請求項１において、
上記予備熱交換手段（114）は、熱源側熱交換器（103）を通過した空気と、調湿装置（10）へ取り込まれる室内空気との間で熱交換を行わせる予備熱交換回路（115）を備えている
ことを特徴とする空気調和システム。
【請求項３】
請求項２において、
上記予備熱交換回路（115）には、熱源側熱交換器（103）の空気の下流側に設けられる第１予備熱交換器（116）と、該第１予備熱交換器（116）と冷却管（119）を介して接続され、且つ調湿装置（10）へ取り込まれる室内空気の空気通路（23a）に設けられる第２予備熱交換器（117）とが設けられている
ことを特徴とする空気調和システム。
【請求項４】
請求項１において、
上記予備熱交換手段（114）は、冷媒回路（110）を循環する冷媒が流れると共に、該流れる冷媒と調湿装置（10）へ取り込まれる室内空気との間で熱交換が行われる予備熱交換器（120）を備えている
ことを特徴とする空気調和システム。
【請求項５】
請求項４において、
上記予備熱交換器（120）は、冷媒回路（110）において、圧縮機（105）と熱源側熱交換器（103）との間に設けられている
ことを特徴とする空気調和システム。
【請求項６】
請求項４において、
上記冷媒回路（110）には、熱源側熱交換器（103）をバイパスするバイパス通路（125）が設けられ、
上記予備熱交換器（120）は、上記バイパス通路（125）に設けられている
ことを特徴とする空気調和システム。
【請求項７】
請求項６において、
上記バイパス通路（125）には、該バイパス通路（125）を循環する冷媒の流量を調節する流量調節手段（126）が設けられている
ことを特徴とする空気調和システム。
【請求項８】
請求項７において、
上記冷媒回路（110）には、暖房運転時の熱源側熱交換器（103）の冷媒の吸入側の冷媒温度を計測する冷媒温度計測手段（111）が設けられ、
上記流量調節手段（126）は、冷媒温度計測手段（111）で計測された冷媒温度が、調湿装置（10）へ取り込まれる室内空気の露点温度以下であると、バイパス通路（125）の冷媒循環を停止するよう構成されている
ことを特徴とする空気調和システム。
【請求項９】
請求項４〜８の何れか１つにおいて、
上記冷媒回路（110）は、熱源側熱交換器（103）へ向けて室外空気を送風する送風ファン（107）と、予備熱交換器（120）と調湿装置（10）へ取り込まれる室内空気との間の熱交換量に応じて上記送風ファン（107）の送風量を低下させるよう該送風ファン（107）を制御するファン制御手段（7b）とを備えている
ことを特徴とする空気調和システム。
【発明の詳細な説明】
【技術分野】
【０００１】
本発明は、空気調和システムの省エネルギ化に係るものである。
【背景技術】
【０００２】
従来より、室内の空気の温度を調整する室温調整機能とともに空気の除湿を行う除湿機能を備えた空気調和システムが知られている。
【０００３】
特許文献１に示す空気調和システムは、圧縮機で圧縮した冷媒を放熱器で冷却し、この冷却した冷媒を減圧して蒸発器にて蒸発させて熱交換を行う冷凍機と、除湿剤に空気を通して除湿する除湿器とを備えている。この空気調和システムでは、圧縮した冷媒から放出される排熱を除湿器の除湿剤を再生する再生用空気の加熱に用いることにより、省エネルギ化を図っているものである。
【特許文献１】特開２００５−１８０８８５号公報
【発明の開示】
【発明が解決しようとする課題】
【０００４】
しかしながら、従来の空気調和システムにおいては、冷凍機の室外機の排熱を除湿器の除湿剤の再生に利用していた。つまり、室外機が凝縮器として動作する冷房運転時において冷凍機の排熱を利用している。このため、冷凍機が冷房運転の場合は、排熱を利用するこができる一方、暖房運転の場合は、その排熱を利用することができないという問題があった。
【０００５】
本発明は、斯かる点に鑑みてなされたものであり、空気調和装置の冷房運転及び暖房運転の両方の冷媒熱を利用して空気調和システムの省エネルギ化を図ることを目的とする。
【課題を解決するための手段】
【０００６】
本発明は、空気調和装置（100）の冷媒回路（110）を循環する冷媒熱を利用して、調湿装置（10）に取り込む室内空気温度を調節するようにしたものである。
【０００７】
第１の発明は、圧縮機（105）と、熱源側熱交換器（103）と、膨張機構（106）と、利用側熱交換器（104）とが順に接続されて蒸気圧縮式冷凍サイクルを行う冷媒回路（110）を備え、該冷媒回路（110）の冷媒循環方向を可逆に切り換えることで室内（3）の暖房運転、又は冷房運転を行う空気調和装置（100）と、室外空気を取り込んで、冷却した吸着剤へ室外空気を通過させて水分を回収して室内へ供給する吸着動作と、室内空気を取り込んで、加熱した吸着剤へ室内空気を通過させて水分を付与して室外へ排出する再生動作とが同時に行われる除湿運転と、室外空気を取り込んで、加熱した吸着剤へ室外空気を通過させて水分を付与して室内へ供給する再生動作と、室内空気を取り込んで、冷却した吸着剤へ室内空気を通過させて水分を回収して室外へ排出する吸着動作とが同時に行われる加湿運転とを選択的に行う調湿装置（10）とを備えた空気調和システムであって、上記冷媒回路（110）を循環する冷媒熱を得て上記調湿装置（10）へ取り込まれる室内空気の予備加熱と予備冷却とを切り換えて行う予備熱交換手段（114）を備えている。
【０００８】
上記第１の発明では、空気調和システムを構成する空気調和装置（100）と、調湿装置（10）がそれぞれ運転動作を行う。
【０００９】
空気調和装置（100）は、冷媒回路（110）の冷媒循環方向を可逆に切り換えることで、冷房運転と暖房運転とを行う。具体的に、この冷媒回路（110）では、熱源側熱交換器（103）が放熱器（凝縮器）として機能する一方、利用側熱交換器（104）が蒸発器として機能する冷房運転と、熱源側熱交換器（103）が蒸発器として機能する一方、利用側熱交換器（104）が放熱器（凝縮器）として機能する暖房運転とが行われる。
【００１０】
蒸発器となる熱交換器（103,104）では、低圧冷媒が蒸発して該熱交換器（103,104）を通過する空気から吸熱する。一方、放熱器（凝縮器）となる熱交換器（103,104）では、高圧冷媒が放熱（凝縮）して該熱交換器（103,104）を通過する空気へ放熱する。
【００１１】
調湿装置（10）は、除湿運転と加湿運転を選択的に行う。除湿運転中および加湿運転中の調湿装置（10）は、吸着動作と加湿動作とを交互に繰り返して行う。
【００１２】
除湿運転中の調湿装置（10）では、取り込んだ室外空気を、冷却した状態の吸着剤へ通過させる吸着動作を行う。このとき、室外空気に含まれる水分を回収する。そして、水分が回収された状態の室外空気を室内へ供給する。一方、取り込んだ室内空気を、加熱した状態の吸着剤へ通過させる再生動作を行う。このとき、吸着剤に含まれる水分を室内空気に付与する。そして、水分が付与された状態の室内空気を室外へ排出する。
【００１３】
加湿運転中の調湿装置（10）では、取り込んだ室外空気を、加熱した状態の吸着剤へ通過させる再生動作を行う。このとき、吸着剤に含まれる水分を室外空気に付与する。そして、水分が付与された状態の室外空気を室内へ供給する。一方、取り込んだ室内空気を、冷却した状態の吸着剤へ通過させる吸着動作を行う。このとき、室内空気に含まれる水分を回収する。そして、水分が回収された状態の室内空気を室外へ排出する。
【００１４】
ここで、空気調和装置（100）が冷房運転に設定されると、予備熱交換手段（114）は、冷媒回路（110）を循環する高圧冷媒の冷媒熱を得て、室内（3）から調湿装置（10）へ取り込まれる空気を加熱する。そして、加熱された空気を調湿装置（10）へ取り込んで、再生動作が行われる吸着剤へ通過させる。一方、空気調和装置（100）が暖房運転に設定されると、予備熱交換手段（114）は、冷媒回路（110）を循環する低圧冷媒の冷媒熱を得て、室内（3）から調湿装置（10）へ取り込まれる空気を冷却する。そして、冷却された室内空気を調湿装置（10）へ取り込んで、吸着動作が行われる吸着剤へ通過させる。
【００１５】
第２の発明は、上記第１の発明において、上記予備熱交換手段（114）は、熱源側熱交換器（103）を通過した空気と、調湿装置（10）へ取り込まれる室内空気との間で熱交換を行わせる予備熱交換回路（115）を備えている。
【００１６】
上記第２の発明では、空気調和装置（100）が冷房運転に設定されると、熱源側熱交換器（103）は放熱器（凝縮器）になる。
【００１７】
熱源側熱交換器（103）の冷媒は、該熱源側熱交換器（103）を通過する空気へ放熱して該空気を加熱する。予備熱交換回路（115）は、上記加熱された空気から熱を得る。そして、得た熱によって室内（3）から調湿装置（10）へ取り込む空気を加熱する。調湿装置（10）は、この加熱した空気を室内空気として取り込む。調湿装置（10）では、加熱された室内空気を、再生動作が行われる吸着剤へ通過させる。このとき、室内空気は、吸着剤を通過する際に、該吸着剤から水分を付与されて室外へ排出される。
【００１８】
一方、空気調和装置（100）が暖房運転に設定されると、熱源側熱交換器（103）は蒸発器になる。
【００１９】
熱源側熱交換器（103）の冷媒は、該熱源側熱交換器（103）を通過する空気から吸熱して蒸発し、該空気は冷却される。予備熱交換回路（115）は、室内（3）から調湿装置（10）へ取り込まれる空気から上記冷却された空気へ放熱する。調湿装置（10）は、この冷却された空気を室内空気として取り込む。調湿装置（10）では、冷却された室内空気を、吸着動作が行われる吸着剤へ通過させる。このとき、室内空気は、吸着剤を通過する際に、吸着剤へ水分を付与して室外へ排出される。
【００２０】
第３の発明は、上記第２の発明において、上記予備熱交換回路（115）には、熱源側熱交換器（103）の空気の下流側に設けられる第１予備熱交換器（116）と、該第１予備熱交換器（116）と冷却管（119）を介して接続され、且つ上記調湿装置（10）へ取り込まれる室内空気の空気通路（23a）に設けられる第２予備熱交換器（117）とが設けられている。
【００２１】
上記第３の発明では、空気調和装置（100）が冷房運転に設定されると、熱源側熱交換器（103）は放熱器（凝縮器）になる。
【００２２】
熱源側熱交換器（103）の冷媒は、該熱源側熱交換器（103）を通過する空気へ放熱して該空気を加熱する。予備熱交換回路（115）は、熱源側熱交換器（103）を通過した加熱空気を第１予備熱交換器（116）へ通過させる。第１予備熱交換器（116）の冷媒は、加熱空気から放熱されて加熱される。この加熱された冷媒は、冷却管（119）を介して第２予備熱交換器（117）へ導入される。そして、予備熱交換回路（115）は、室内（3）から取り込んだ空気を空気通路（23a）を介して第２予備熱交換器（117）へ通過させる。第２予備熱交換器（117）の冷媒は、室内（3）から取り込んだ空気へ放熱して該空気を加熱する。加熱された空気は、室内空気として調湿装置（10）へ取り込まれる。調湿装置（10）では、加熱された室内空気を、再生動作が行われる吸着剤へ通過させる。このとき、室内空気は、吸着剤を通過する際に、吸着剤から水分を付与されて室外へ排出される。
【００２３】
一方、空気調和装置（100）が暖房運転に設定されると、熱源側熱交換器（103）は蒸発器になる。
【００２４】
熱源側熱交換器（103）の冷媒は、該熱源側熱交換器（103）を通過する空気から吸熱して該空気を冷却する。予備熱交換回路（115）は、熱源側熱交換器（103）を通過した冷却空気を第１予備熱交換器（116）へ通過させる。第１予備熱交換器（116）の冷媒は、冷却空気へ放熱して冷却される。この冷却された冷媒は、冷却管（119）を介して第２予備熱交換器（117）へ導入される。そして、予備熱交換回路（115）は、室内（3）から取り込んだ空気を空気通路（23a）を介して第２予備熱交換器（117）へ通過させる。第２予備熱交換器（117）の冷媒は、室内（3）から取り込んだ空気から吸熱して該空気を冷却する。冷却された空気は、室内空気として調湿装置（10）へ取り込まれる。調湿装置（10）では、冷却された室内空気を、吸着動作が行われる吸着剤へ通過させる。このとき、室内空気は、吸着剤を通過する際に、吸着剤へ水分を付与して室外へ排出される。
【００２５】
第４の発明は、上記第１の発明において、上記予備熱交換手段（114）は、冷媒回路（110）を循環する冷媒が流れると共に、該流れる冷媒と調湿装置（10）へ取り込まれる室内空気との間で熱交換が行われる予備熱交換器（120）を備えている。
【００２６】
上記第４の発明では、空気調和装置（100）が冷房運転に設定されると、冷媒回路（110）を循環する高圧冷媒が放熱器（凝縮器）である予備熱交換器（120）へ流入する。そして、予備熱交換手段（114）は、室内（3）から取り込んだ空気を予備熱交換器（120）へ通過させる。予備熱交換器（120）の高圧冷媒は、室内（3）から取り込んだ空気へ放熱して該空気を加熱する。加熱された空気は、室内空気として調湿装置（10）へ取り込まれる。調湿装置（10）では、加熱された室内空気を、再生動作が行われる吸着剤へ通過させる。このとき、室内空気は、吸着剤を通過する際に、吸着剤から水分を付与されて室外へ排出される。
【００２７】
一方、空気調和装置（100）が暖房運転に設定されると、冷媒回路（110）を循環する低圧冷媒が蒸発器である予備熱交換器（120）へ流入する。そして、予備熱交換手段（114）は、室内（3）から取り込んだ空気を予備熱交換器（120）へ通過させる。予備熱交換器（120）の低圧冷媒は、室内（3）から取り込んだ空気から吸熱して該空気を冷却する。冷却された空気は、室内空気として調湿装置（10）へ取り込まれる。調湿装置（10）では。冷却された室内空気を、吸着動作が行われる吸着剤へ通過させる。このとき、室内空気は、吸着剤を通過する際に、吸着剤へ水分を付与して室外へ排出される。
【００２８】
第５の発明は、上記第４の発明において、上記予備熱交換器（120）は、冷媒回路（110）において、圧縮機（105）と熱源側熱交換器（103）との間に設けられている。
【００２９】
上記第５の発明では、空気調和装置（100）が冷房運転に設定されると、冷媒回路（110）の圧縮機（105）から吐出された高圧冷媒が放熱器（凝縮器）である予備熱交換器（120）へ流入する。そして、予備熱交換手段（114）は、室内（3）から取り込んだ空気を予備熱交換器（120）へ通過させる。予備熱交換器（120）の高圧冷媒は、室内（3）から取り込んだ空気へ放熱して該空気を加熱する。加熱された空気は、室内空気として調湿装置（10）へ取り込まれる。調湿装置（10）では、加熱された室内空気を、再生動作が行われる吸着剤へ通過させる。このとき、室内空気は、吸着剤を通過する際に、吸着剤から水分を付与されて室外へ排出される。
【００３０】
一方、空気調和装置（100）が暖房運転に設定されると、冷媒回路（110）の熱源側熱交換器（103）から流出された低圧冷媒が蒸発器である予備熱交換器（120）へ流入する。そして、予備熱交換手段（114）は、室内（3）から取り込んだ空気を予備熱交換器（120）へ通過させる。予備熱交換器（120）の低圧冷媒は、室内（3）から取り込んだ空気から吸熱して該空気を冷却する。冷却された空気は、室内空気として調湿装置（10）へ取り込まれる。調湿装置（10）では。冷却された室内空気を、吸着動作が行われる吸着剤へ通過させる。このとき、室内空気は、吸着剤を通過する際に、吸着剤へ水分を付与して室外へ排出される。
【００３１】
第６の発明は、上記第４の発明において、上記冷媒回路（110）には、熱源側熱交換器（103）をバイパスするバイパス通路（125）が設けられ、上記予備熱交換器（120）は、上記バイパス通路（125）に設けられている。
【００３２】
上記第６の発明では、空気調和装置（100）が冷房運転に設定されると、冷媒回路（110）の圧縮機（105）から吐出された高圧冷媒の一部が、バイパス通路（125）を介して予備熱交換器（120）へ流入する。そして、予備熱交換手段（114）は、室内（3）から取り込んだ空気を予備熱交換器（120）へ通過させる。予備熱交換器（120）の高圧冷媒は、室内（3）から取り込んだ空気へ放熱して該空気を加熱する。加熱された空気は、室内空気として調湿装置（10）へ取り込まれる。調湿装置（10）では、加熱された室内空気を、再生動作が行われる吸着剤へ通過させる。このとき、室内空気は、吸着剤を通過する際に、吸着剤から水分を付与されて室外へ排出される。
【００３３】
一方、空気調和装置（100）が暖房運転に設定されると、冷媒回路（110）の膨張機構（106）から流出された低圧冷媒の一部が、バイパス通路（125）を介して蒸発器である予備熱交換器（120）へ流入する。そして、予備熱交換手段（114）は、室内（3）から取り込んだ空気を予備熱交換器（120）へ通過させる。予備熱交換器（120）の低圧冷媒は、室内（3）から取り込んだ空気から吸熱して該空気を冷却する。冷却された空気は、室内空気として調湿装置（10）へ取り込まれる。調湿装置（10）では。冷却された室内空気を、吸着動作が行われる吸着剤へ通過させる。このとき、室内空気は、吸着剤を通過する際に、吸着剤へ水分を付与して室外へ排出される。
【００３４】
第７の発明は、上記第６の発明において、上記バイパス通路（125）には、該バイパス通路（125）を循環する冷媒の流量を調節する流量調節手段（126）が設けられている。
【００３５】
上記第７の発明では、空気調和装置（100）が冷房運転に設定されると、冷媒回路（110）の圧縮機（105）から吐出された高圧冷媒の一部が、バイパス通路（125）を介して予備熱交換器（120）へ流入する。このとき、流量調節手段（126）は、バイパス通路（125）を流通する冷媒量を調節する。
【００３６】
一方、空気調和装置（100）が暖房運転に設定されると、冷媒回路（110）の膨張機構（106）から流出された低圧冷媒の一部が、バイパス通路（125）を介して蒸発器である予備熱交換器（120）へ流入する。このとき、流量調節手段（126）は、バイパス通路（125）を流通する冷媒量を調節する。
【００３７】
第８の発明は、上記第７の発明において、上記冷媒回路（110）には、暖房運転時の熱源側熱交換器（103）の冷媒の吸入側の冷媒温度を計測する冷媒温度計測手段（111）が設けられ、上記流量調節手段（126）は、冷媒温度計測手段（111）で計測された冷媒温度が、調湿装置（10）へ取り込まれる室内空気の露点温度以下であると、バイパス通路（125）の冷媒循環を停止するよう構成されている。
【００３８】
上記第８の発明では、空気調和装置（100）が暖房運転に設定されると、冷媒回路（110）の膨張機構（106）から流出された低圧冷媒が、熱源側熱交換器（103）へ流入すると共に、該低圧冷媒の一部が、バイパス通路（125）を介して予備熱交換器（120）へ流入する。このとき、冷媒温度計測手段（111）は、熱源側熱交換器（103）へ流入する冷媒の温度を計測する。そして、冷媒温度計測手段（111）で計測された冷媒の温度が、室内空気の露点温度以下であると、流量調節手段（126）は、バイパス通路（125）の冷媒循環を停止する。一方、このときの冷媒の温度が室内空気の露点温度よりも大きいと、バイパス通路（125）の冷媒循環を継続する。
【００３９】
上記第９の発明は、上記第４〜８の何れか１つの発明において、上記冷媒回路（110）は、熱源側熱交換器（103）へ向けて室外空気を送風する送風ファン（107）と、予備熱交換器（120）と調湿装置（10）へ取り込まれる室内空気との間の熱交換量に応じて上記送風ファン（107）の送風量を低下させるよう該送風ファン（107）を制御するファン制御手段（7b）とを備えている。
【００４０】
上記第９の発明では、冷媒回路（110）を冷媒が循環して該冷媒が熱源側熱交換器（103）に流入すると、送風ファン（107）が該熱源側熱交換器（103）へ向けて室外空気を送風する。送風された室外空気と、熱源側熱交換器（103）の冷媒との間で熱交換が行われる。
【００４１】
ここで、冷媒回路（110）を流れる冷媒が予備熱交換器（120）へ流入すると、予備熱交換器（120）の冷媒は、調湿装置（10）に取り込まれる室内空気との間で熱交換を行う。そして、ファン制御手段（7b）は、予備熱交換器（120）の熱交換量に応じて熱源側熱交換器（103）への送風量を低下させるよう送風ファン（107）を制御する。送風ファン（107）の送風量が低下すると、熱源側熱交換器（103）へ送られる風量が低下して該熱源側熱交換器（103）における熱交換量が低下する。
【発明の効果】
【００４２】
上記第１の発明では、予備熱交換手段（114）が、冷媒回路（110）の冷媒熱を得て、調湿装置（10）へ取り込まれる室内空気への予備加熱と予備冷却とを切り換えて行うようにした。このため、除湿運転時に調湿装置（10）へ取り込まれる室内空気を予め加熱することができる一方、加湿運転時に調湿装置（10）へ取り込まれる室内空気を予め冷却することができる。つまり、除湿運転時には、加熱した室内空気を、再生動作を行う吸着剤へ供給できる一方、加湿運転時には、冷却した室内空気を、吸着側の吸着剤へ供給できる。これにより、調湿装置（10）では、従来より少ないエネルギでもって吸着剤の再生動作及び吸着動作を行うことができる。この結果、空調システムの省エネルギ化を図ることができる。
【００４３】
上記第２の発明では、予備熱交換回路（115）が、熱源側熱交換器（103）を通過した空気と、調湿装置（10）へ取り込まれる室内空気との間で熱交換させるようにした。このため、除湿運転時に調湿装置（10）へ取り込まれる室内空気を予め加熱することができる一方、加湿運転時に調湿装置（10）へ取り込まれる室内空気を予め冷却することができる。つまり、従来は、空気調和装置（100）から排気されていた空気の熱を得て、予備加熱動作又は予備冷却動作を行うことができる。これにより、調湿装置（10）では、従来より少ないエネルギでもって吸着剤の再生動作及び吸着動作を行うことができる。この結果、空調システムの省エネルギ化を図ることができる。
【００４４】
上記第３の発明では、予備熱交換回路（115）に、第１予備熱交換器（116）と、第２予備熱交換器（117）とを設けるようにした。このため、熱源側熱交換器（103）を通過した空気と、第１予備熱交換器（116）との間で熱交換させた後、第２予備熱交換器（117）と、調湿装置（10）へ取り込まれる室内空気との間で熱交換させることができる。これにより、熱源側熱交換器（103）と、調湿装置（10）とが互いに離れた位置に設置される場合であっても、簡易的な回路でもって、予備加熱及び予備冷却を行わせることができる。
【００４５】
上記第４の発明では、冷媒回路（110）の冷媒が流入する予備熱交換器（120）を設けた。このため、冷房運転時には、予備熱交換器（120）に流入する高圧冷媒で、調湿装置（10）へ取り込まれる室内空気を予め加熱することができる一方、暖房運転時には、予備熱交換器（120）に流入する低圧冷媒で、調湿装置（10）へ取り込まれる室内空気を予め冷却することができる。つまり、除湿運転時には、加熱した室内空気を、再生動作を行う吸着剤へ供給できる一方、加湿運転時には、冷却した室内空気を、吸着側の吸着剤へ供給できる。これにより、調湿装置（10）では、従来より少ないエネルギでもって吸着剤の再生動作及び吸着動作を行うことができる。この結果、空調システムの省エネルギ化を図ることができる。
【００４６】
上記第５の発明では、冷媒回路（110）の圧縮機（105）と熱源側熱交換器（103）との間に予備熱交換器（120）を設置するようにした。このため、冷房運転時には、熱源側熱交換器（103）に流入する前の高圧冷媒で、調湿装置（10）へ取り込まれる室内空気を予め加熱することができる。これにより、熱源側熱交換器（103）で放熱（凝縮）する前の高圧冷媒を利用するため、予備加熱の効果をより大きくすることができる。
【００４７】
また、暖房運転時には、熱源側熱交換器（103）から流出した後の低圧冷媒で、調湿装置（10）へ取り込まれる室内空気を予め冷却するようにした。つまり、従来は、利用していなかった低圧冷媒で、調湿装置（10）へ取り込まれる室内空気を予備冷却させた。これにより、調湿装置（10）で吸着動作が行われる吸着熱交換器（51,52）の冷却能力を抑えることができる。これらの結果、空調システムの省エネルギ化を図ることができる。
【００４８】
上記第６の発明では、冷媒回路（110）に熱源側熱交換器（103）をバイパスするバイパス通路（125）を設けた。このため、冷房運転時には、熱源側熱交換器（103）で放熱（凝縮）していない高圧冷媒を予備熱交換器（120）へ流入させることができる一方、暖房運転時には、熱源側熱交換器（103）で蒸発していない低圧冷媒を予備熱交換器（120）へ流入させることができる。つまり、熱源側熱交換器（103）で放熱（凝縮）又は蒸発をしていない冷媒によって、予備加熱又は予備冷却を行うことができる。これにより、予備熱交換器（120）での予備加熱能力及び予備冷却能力を増加させることができる。
【００４９】
上記第７の発明よれば、バイパス通路（125）に流量調節手段（126）を設けたため、予備熱交換器（120）へ流入する冷媒の流量を調節することができる。したがって、流量調節手段（126）によって予備熱交換器（120）における予備加熱量及び予備冷却量を調節することができる。これにより、空気調和装置（100）が室内（3）の空気調和に必要な冷媒循環量を確保することができると共に、余った冷媒の排熱を利用して予備加熱及び予備冷却を行うことができる。この結果、空気調和システムの省エネルギ化を図ることができる。
【００５０】
上記第８の発明によれば、冷媒温度計測手段（111）を設けたため、蒸発器となる熱源側熱交換器（103）の吸入冷媒温度を計測することができる。また、計測した吸入冷媒温度が、室内空気の露点温度以下であると、バイパス通路（125）の冷媒循環を停止するようにしたため、室内空気の露点温度以下の冷媒が、予備熱交換器（120）へ流入するのを防止することができる。これらにより、予備熱交換器（120）で室内空気が結露するのを確実に防止することができる。
【００５１】
上記第９の発明では、予備熱交換器（120）での熱交換量に応じて送風ファン（107）の送風量を低下させるようにした。このため、熱源側熱交換器（103）を流れる冷媒の循環量に応じた空気量を該熱源側熱交換器（103）に送風することができる。これにより、予備熱交換器（120）へ流入させた冷媒量（熱交換量）分の風量を抑えることができるため、送風ファン（107）を動作させる電力を削減することができる。この結果、空気調和システムの省エネルギ化を図ることができる。
【発明を実施するための最良の形態】
【００５２】
以下、本発明の実施形態を図面に基づいて詳細に説明する。
【００５３】
〈発明の実施形態１〉
本発明の実施形態１について説明する。図１に示すように、本実施形態１の空調システム（1a）は、調湿運転を行う調湿装置（10）と、空調運転を行う空調装置（100）と、予備熱交換部（114）とを備えている。この空調システム（1a）では、調湿装置（10）で処理した空気と、空調装置（100）で処理した空気との双方が同一の室内（3）に供給される。
【００５４】
<調湿装置の構成>
調湿装置（10）について、図２及び図３を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００５５】
上記調湿装置（10）は、室内の湿度調節と共に室内の換気を行うものであり、取り込んだ室外空気（OA）を湿度調節して室内へ供給すると同時に、取り込んだ室内空気（RA）を室外に排出するように構成されている。
【００５６】
上記調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、電動膨張弁（55）及び四路切換弁（54）が接続されている。また、冷媒回路（50）には、調湿制御部（6）が接続されている。冷媒回路（50）の詳細は後述する。
【００５７】
ケーシング（11）は、やや扁平で高さが比較的低い直方体状に形成されている。図２に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００５８】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置され、図１に示すように、室内側空気配管（23a）の一端側に接続されている。そして、室内側空気配管（23a）の他端側は、室内（3）に連通している。つまり、調湿装置（10）は、内気吸込口（23）に接続された室内側空気配管（23a）を介して室内空気を内部に取り込むように構成されている。給気口（22）は、第１側面パネル部（14）における前面パネル部（12）側の端部付近に配置されている。排気口（21）は、第２側面パネル部（15）における前面パネル部（12）側の端部付近に配置されている。
【００５９】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００６０】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００６１】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００６２】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００６３】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続する室内側空気配管（23a）を介して室内と連通している。内気側通路（32）には、内気側フィルタ（27）と内気湿度センサ（96a）と内気温度センサ（96b）とが設置されている。外気側通路（34）は、外気吸込口（24）に接続するダクトを介して室外空間と連通している。外気側通路（34）には、外気側フィルタ（28）と外気湿度センサ（97a）と外気温度センサ（97b）とが設置されている。
【００６４】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００６５】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。
【００６６】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００６７】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００６８】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００６９】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００７０】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００７１】
給気ファン室（36）には、冷媒回路（50）の圧縮機（53）と四路切換弁（54）とが収容されている。圧縮機（53）及び四路切換弁（54）は、給気ファン室（36）における給気ファン（26）と仕切板（77）との間に配置されている。
【００７２】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００７３】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００７４】
これら給気側通路（31）、内気側通路（32）、排気側通路（33）、外気側通路（34）、第１バイパス通路（81）及び第２バイパス通路（82）が空気通路を構成する。また、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、第２排気側ダンパ（48）、第１バイパス用ダンパ（83）及び第２バイパス用ダンパ（84）が開閉ダンパを構成する。
【００７５】
なお、図３の右側面図及び左側面図では、第１バイパス通路（81）、第２バイパス通路（82）、第１バイパス用ダンパ（83）、及び第２バイパス用ダンパ（84）の図示を省略している。
【００７６】
図４に示すように、冷媒回路（50）は、第１吸着熱交換器（51）、第２吸着熱交換器（52）、圧縮機（53）、四路切換弁（54）、及び電動膨張弁（55）が設けられた閉回路である。この冷媒回路（50）は、充填された冷媒を循環させることによって、蒸気圧縮冷凍サイクルを行う。
【００７７】
冷媒回路（50）において、圧縮機（53）は、その吐出側が四路切換弁（54）の第１のポートに、その吸入側が四路切換弁（54）の第２のポートにそれぞれ接続されている。また、冷媒回路（50）では、第１吸着熱交換器（51）と電動膨張弁（55）と第２吸着熱交換器（52）とが、四路切換弁（54）の第３のポートから第４のポートへ向かって順に接続されている。
【００７８】
四路切換弁（54）は、第１のポートと第３のポートが連通して第２のポートと第４のポートが連通する第１状態（図４(Ａ)に示す状態）と、第１のポートと第４のポートが連通して第２のポートと第３のポートが連通する第２状態（図４(Ｂ)に示す状態）とに切り換え可能となっている。
【００７９】
圧縮機（53）は、冷媒を圧縮する圧縮機構と、圧縮機構を駆動する電動機とが１つのケーシングに収容された全密閉型の圧縮機である。圧縮機（53）の電動機へ供給する交流の周波数（即ち、圧縮機（53）の運転周波数）を変化させると、電動機により駆動される圧縮機構の回転速度が変化し、単位時間当たりに圧縮機（53）から吐出される冷媒の量が変化する。つまり、この圧縮機（53）は、容量可変に構成されている。
【００８０】
冷媒回路（50）において、圧縮機（53）の吐出側と四路切換弁（54）の第１のポートとを繋ぐ配管には、高圧圧力センサ（91）と吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００８１】
また、冷媒回路（50）において、圧縮機（53）の吸入側と四路切換弁（54）の第２のポートとを繋ぐ配管には、低圧圧力センサ（92）と吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００８２】
また、冷媒回路（50）において、四路切換弁（54）の第３のポートと第１吸着熱交換器（51）とを繋ぐ配管には、配管温度センサ（95）が取り付けられている。配管温度センサ（95）は、この配管における四路切換弁（54）の近傍に配置され、配管内を流れる冷媒の温度を計測する。
【００８３】
上記調湿制御部（6）は、上記調湿装置（10）に設けられて該調湿装置（10）の運転制御を行うものである。具体的に、上記調湿制御部（6）には、上述した内気湿度センサ（96a）、内気温度センサ（96b）、外気湿度センサ（97a）、外気温度センサ（97b）、及び冷媒回路（50）に設けられた各センサ（91,92,…）が接続されている。これら接続されたセンサから計測される計測値が該調湿制御部（6）に入力されている。そして、上記調湿制御部（6）は、各センサから入力された計測値に基づいて、調湿装置（10）の調湿運転制御を行う。
【００８４】
<空調装置の構成>
本実施形態１の空調装置（100）は、冷却した空気を室内へ供給する冷房運転と、加熱した空気を室内へ供給する暖房運転とが可能に構成されている。
【００８５】
図１に示すように、上記空調装置（100）は、室外に配置された室外ユニット（101）及び室内に配置された室内ユニット（102）を備えている。この室外ユニット（101）には、熱源側熱交換器である室外熱交換器（103）、圧縮機（105）、膨張機構である電動膨張弁（106）、四路切換弁（109）及び室外ファン（107）が収納されている。室外ファン（107）は、いわゆるシロッコファンに構成され、本発明に係る送風ファン（107）を構成するものである。室外ファン（107）は、室外熱交換器（103）の近傍に設けられ、室外の空気を室外熱交換器（103）に向けて送風している。室内ユニット（102）には、利用側熱交換器である室内熱交換器（104）と室内ファン（図示なし）とが収納されている。
【００８６】
上記室内ユニット（102）と上記室外ユニット（101）とは、２本の連絡配管で互いに接続されている。そして、空調装置（100）には、閉回路である冷媒回路（110）が構成されている。この冷媒回路（110）は、充填された冷媒を循環させることによって、蒸気圧縮冷凍サイクルを行う。また、冷媒回路（110）には、空調コントローラ（7）が接続されている。
【００８７】
上記四路切換弁（109）の切換動作により、上記冷媒回路（110）は、冷房運転状態から暖房運転状態、又は暖房運転状態から冷房運転状態への切り換えが可能に構成されている。ここで、冷房運転状態とは、上記四路切換弁（109）が、第１ポートと第４ポートとが連通すると同時に第２ポートと第３ポートとが連通する第１状態（図１に実線で示す）に切り換えられた場合の運転状態であり、暖房運転状態とは、第１ポートと第３ポートとが連通すると同時に第２ポートと第４ポートとが連通する第２状態（図１に破線で示す）に切り換えられた場合の運転状態である。
【００８８】
圧縮機（105）は、冷媒を圧縮する圧縮機構と、圧縮機構を駆動する電動機とが１つのケーシングに収容された全密閉型の圧縮である。圧縮機（105）の電動機へ供給する交流の周波数（即ち、圧縮機（105）の運転周波数）を変化させると、電動機により駆動される圧縮機構の回転速度が変化し、単位時間当たりに圧縮機（105）から吐出される冷媒の量が変化する。つまり、この圧縮機（105）は、容量可変に構成されている。
【００８９】
上記空調装置（100）の冷媒回路（110）において、圧縮機（105）の吐出側と四路切換弁（109）の第１ポートとを繋ぐ配管には、高圧圧力センサ（図示なし）と吐出管温度センサ（図示なし）とが取り付けられている。上記圧縮機（105）の吸入側と四路切換弁（109）の第２ポートとを繋ぐ配管には、低圧圧力センサ（図示なし）と吸入管温度センサ（図示なし）とが取り付けられている。又、室内ユニット（102）における室内ファンの近傍には、室内の温度を測定する室内温度センサ（図示なし）が設けられている。
【００９０】
上記空調コントローラ（7）は、上記空調装置（100）に設けられて該空調装置（100）の運転制御を行うものである。具体的に、空調コントローラ（7）には、空調制御部（7a）が設けられている。空調制御部（7a）には、上述した高圧圧力センサ、吐出管温度センサ、低圧圧力センサ、吸入管温度センサ、及び室内温度センサが接続されている。これら接続されたセンサから計測される計測値が該空調制御部（7a）に入力されている。
【００９１】
<予備熱交換回路の構成>
次に、本発明の特徴部分である予備熱交換部（114）について説明する。
【００９２】
予備熱交換部（114）は、室外熱交換器（103）の冷媒の熱を得て、調湿装置（10）に取り込まれる室内空気の予備加熱又は予備冷却を行う予備熱交換手段を構成するものである。
【００９３】
上記予備熱交換部（114）は、室外熱交換器（103）を通過した空気と、調湿装置（10）へ取り込まれる室内空気との間で熱交換を行わせる予備熱交換回路（115）を備えている。
【００９４】
上記予備熱交換回路（115）は、第１予備熱交換器（116）と、第２予備熱交換器（117）と、冷媒ポンプ（118）とが冷媒管（119）で繋がれた回路に構成されている。この冷媒管（119）は、本発明に係る冷却管を構成している。つまり、予備熱交換回路（115）は、第１予備熱交換器（116）の冷媒が、室外空気との間で熱交換を行い、第１予備熱交換器（116）を流出した冷媒が、冷媒管（119）を循環して第２予備熱交換器（117）に流入し、第２予備熱交換器（117）の冷媒が室内空気との間で熱交換を行うよう構成されているものである。
【００９５】
上記第１予備熱交換器（116）は、いわゆるクロスフィン型のフィン・アンド・チューブ熱交換器に構成されている。第１予備熱交換器（116）は、略長方形の厚板状に形成され、室外熱交換器（103）の空気の下流側に、その前面及び背面が室外熱交換器（103）と平行になる姿勢で立設されている。
【００９６】
上記第２予備熱交換器（117）は、いわゆるクロスフィン型のフィン・アンド・チューブ熱交換器に構成されている。第２予備熱交換器（117）は、略長方形状の厚板状に形成され、室内側空気配管（23a）の途中に配置されている。
【００９７】
上記冷媒ポンプ（118）は、予備熱交換回路（115）の冷媒循環を行うものである。冷媒ポンプ（118）は、いわゆるモータポンプに構成され、予備熱交換回路（115）において第１予備熱交換器（116）と、第２予備熱交換器（117）との間に設けられている。
【００９８】
<調湿装置の運転動作>
本実施形態１の調湿装置（10）では、除湿運転と加湿運転とが行われる。
【００９９】
−除湿運転−
除湿運転中の調湿装置（10）では、後述する第１動作と第２動作が所定の時間間隔（例えば３〜４分間隔）で交互に繰り返される。この除湿運転中において、第１バイパス用ダンパ（83）及び第２バイパス用ダンパ（84）は、常に閉状態となる。
【０１００】
除湿運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【０１０１】
先ず、除湿運転の第１動作について説明する。図５に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（50）では、四路切換弁（54）が第１状態（図４(Ａ)に示す状態）に設定され、第１吸着熱交換器（51）が凝縮器となって第２吸着熱交換器（52）が蒸発器となる。
【０１０２】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【０１０３】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【０１０４】
次に、除湿運転の第２動作について説明する。図６に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（50）では、四路切換弁（54）が第２状態（図４(Ｂ)に示す状態）に設定され、第１吸着熱交換器（51）が蒸発器となって第２吸着熱交換器（52）が凝縮器となる。
【０１０５】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【０１０６】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【０１０７】
−加湿運転−
加湿運転中の調湿装置（10）では、後述する第１動作と第２動作が所定の時間間隔（例えば３〜４分間隔）で交互に繰り返される。この加湿運転中において、第１バイパス用ダンパ（83）及び第２バイパス用ダンパ（84）は、常に閉状態となる。
【０１０８】
加湿運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【０１０９】
先ず、加湿運転の第１動作について説明する。図７に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（50）では、四路切換弁（54）が第１状態（図４(Ａ)に示す状態）に設定され、第１吸着熱交換器（51）が凝縮器となって第２吸着熱交換器（52）が蒸発器となる。
【０１１０】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【０１１１】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【０１１２】
次に、加湿運転の第２動作について説明する。図８に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（50）では、四路切換弁（54）が第２状態（図４(Ｂ)に示す状態）に設定され、第１吸着熱交換器（51）が蒸発器となって第２吸着熱交換器（52）が凝縮器となる。
【０１１３】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【０１１４】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【０１１５】
<空調装置の運転動作>
本実施形態の空調装置（100）では、冷房運転と暖房運転とが行われる。
【０１１６】
−冷房運転−
空調装置（100）の冷房運転では、図１に示すように、冷媒回路（110）の四路切換弁（109）が第１状態（図１に実線で示す状態）に設定される。圧縮機（105）を運転すると、冷媒回路（110）内で冷媒が循環する。具体的に、圧縮機（105）から吐出された冷媒は、室外熱交換器（103）で放熱して凝縮する。室外熱交換器（103）で凝縮した冷媒は、電動膨張弁（106）を通過する際に減圧され、その後に室内熱交換器（104）で吸熱して蒸発する。室内熱交換器（104）で蒸発した冷媒は、圧縮機（105）へ吸入されて圧縮され、再び圧縮機（105）から吐出される。
【０１１７】
このように、冷媒回路（110）では、室外熱交換器（103）が凝縮器となり、室内熱交換器（104）が蒸発器となる。一方、室内から空調装置（100）に吸い込まれた空気は、蒸発器となる室内熱交換器（104）を通過する。この空気は、室内熱交換器（104）で冷却された後、室内に供給される。
【０１１８】
−暖房運転−
一方、空調装置（100）の暖房運転では、図１に示すように、冷媒回路（110）の四路切換弁（109）が第２状態（図１に破線で示す状態）に設定される。圧縮機（105）を運転すると、冷媒回路（110）内で冷媒が循環する。具体的に、圧縮機（105）から吐出された冷媒は、室内熱交換器（104）で放熱して凝縮する。室内熱交換器（104）で凝縮した冷媒は、電動膨張弁（106）を通過する際に減圧され、その後に室外熱交換器（103）で吸熱して蒸発する。室外熱交換器（103）で蒸発した冷媒は、圧縮機（105）へ吸入されて圧縮され、再び圧縮機（105）から吐出される。
【０１１９】
このように、冷媒回路（110）では、室外熱交換器（103）が蒸発器となり、室内熱交換器（104）が凝縮器となる。一方、室内から空調装置（100）に吸い込まれた空気は、凝縮器となる室内熱交換器（104）を通過する。この空気は、室内熱交換器（104）で加熱された後、室内に供給される。
【０１２０】
−予備熱交換回路の動作−
次に、予備熱交換回路（115）の動作について説明する。予備熱交換回路（115）では、冷媒ポンプ（118）から吐出された冷媒が、第１予備熱交換器（116）へ流入し、第１予備熱交換器（116）を流出した冷媒が、第２予備熱交換器（117）へ流入し、第２予備熱交換器（117）を流出した冷媒が冷媒管（119）を介して再び冷媒ポンプ（118）に吸入される。
【０１２１】
まず、冷房運転時は、空調装置（100）において、凝縮器となる室外熱交換器（103）を室外空気が通過すると、冷媒が凝縮して室外空気が加熱される。そして、加熱された室外空気は、第１予備熱交換器（116）を通過する際に、第１予備熱交換器（116）の冷媒へ放熱する。このとき第１予備熱交換器（116）を通過した室外空気は、室外へ排気される。予備熱交換回路（115）では、加熱された冷媒が、第１予備熱交換器（116）を流出し、第２予備熱交換器（117）へ流入した後、冷媒ポンプ（118）に吸入される。第２予備熱交換器（117）では、冷媒と室内空気との間で熱交換が行われ、該冷媒が室内空気へ放熱する。加熱された室内空気は、除湿運転中の調湿装置（10）へ流入する。調湿装置（10）では、加熱された室内空気を、再生動作の行われる吸着熱交換器（51,52）へ流入させた後、室外へ排気する。
【０１２２】
次に、暖房運転時は、空調装置（100）において、蒸発器となる室外熱交換器（103）を室外空気が通過すると、冷媒が蒸発して室外空気が冷却される。そして、冷却された室外空気は、第１予備熱交換器（116）を通過する際に、第１予備熱交換器（116）の冷媒から吸熱する。このとき第１予備熱交換器（116）を通過した室外空気は、室外へ排気される。予備熱交換回路（115）では、冷却された冷媒が、第１予備熱交換器（116）を流出し、第２予備熱交換器（117）へ流入した後、冷媒ポンプ（118）に吸入される。第２予備熱交換器（117）では、冷媒と室内空気との間で熱交換が行われ、該冷媒が室内空気から吸熱する。冷却された室内空気は、加湿運転中の調湿装置（10）へ流入する。調湿装置（10）では、冷却された室内空気を、吸着動作が行われる吸着熱交換器（51,52）へ流入させた後、室外へ排気する。
【０１２３】
−実施形態１の効果−
上記本実施形態１では、予備熱交換回路（115）を設けて、室外熱交換器（103）を通過した空気と、調湿装置（10）へ取り込まれる室内空気とを熱交換させるようにした。このため、除湿運転時に調湿装置（10）へ取り込まれる室内空気を予め加熱することができる一方、加湿運転時に調湿装置（10）へ取り込まれる室内空気を予め冷却することができる。つまり、従来は、空調装置（100）から排気されていた空気の熱を得て、予備加熱と予備冷却とを切り換えて行うことができる。これにより、調湿装置（10）では、従来より少ないエネルギでもって吸着剤の再生動作及び吸着動作を行うことができる。この結果、空調システムの省エネルギ化を図ることができる。
【０１２４】
また、第１予備熱交換器（116）と、第２予備熱交換器（117）とで構成される予備熱交換回路（115）を設けた。このため、室外熱交換器（103）を通過した空気と、第１予備熱交換器（116）との間で熱交換させた後、第２予備熱交換器（117）と、調湿装置（10）へ取り込まれる室内空気との間で熱交換させることができる。これにより、室外熱交換器（103）と、調湿装置（10）とが互いに離れた位置に設置されていても、簡易的な回路でもって予備加熱及び予備冷却を行うことができる。
【０１２５】
〈発明の実施形態２〉
次に実施形態２について図面を用いて説明する。
【０１２６】
図９に示すように、本実施形態２に係る空調システム（1b）では、上記実施形態１の空調システム（1a）に設けられていた予備熱交換回路（115）に代えて、空調装置（100）の冷媒回路（110）に予備熱交換器（120）を設けるようにしたものである。
【０１２７】
具体的に、実施形態２に係る空調装置（100）の冷媒回路（110）には、四路切換弁（109）と、室外熱交換器（103）との間に予備熱交換器（120）が設けられている。
【０１２８】
予備熱交換器（120）は、いわゆるクロスフィン型のフィン・アンド・チューブ熱交換器に構成されている。予備熱交換器（120）は、略長方形状の厚板状に形成され、室内側空気配管（23a）の途中に設けられている。つまり、室内空気は、予備熱交換器（120）を通過した後に調湿装置（10）に取り込まれることになる。
【０１２９】
空調装置（100）の冷房運転では、圧縮機（105）から吐出された冷媒は、予備熱交換器（120）で室内側空気配管（23a）を流れる室内空気に放熱して凝縮する。予備熱交換器（120）を流出した冷媒は、室外熱交換器（103）で室外空気へ放熱して凝縮する。室外熱交換器（103）で凝縮した冷媒は、電動膨張弁（106）を通過する際に減圧され、その後に室内熱交換器（104）で吸熱して蒸発する。室内熱交換器（104）で蒸発した冷媒は、圧縮機（105）へ吸入されて圧縮され、再び圧縮機（105）から吐出される。
【０１３０】
予備熱交換器（120）で加熱された室内空気は、室内側空気配管（23a）を流れて除湿運転中の調湿装置（10）へ流入する。調湿装置（10）では、加熱された室内空気を、再生動作の行われる吸着熱交換器（51,52）へ流入させた後、室外へ排気する。
【０１３１】
空調装置（100）の暖房運転では、圧縮機（105）から吐出された冷媒は、室内熱交換器（104）で放熱して凝縮する。室内熱交換器（104）で凝縮した冷媒は、電動膨張弁（106）を通過する際に減圧され、その後に室外熱交換器（103）で吸熱して蒸発する。室外熱交換器（103）で流出した冷媒は、予備熱交換器（120）で室内側空気配管（23a）を流れる室内空気から吸熱して蒸発する。予備熱交換器（120）を流出した冷媒は、圧縮機（105）へ吸入されて圧縮され、再び圧縮機（105）から吐出される。
【０１３２】
予備熱交換器（120）で冷却された室内空気は、室内側空気配管（23a）を流れて加湿運転中の調湿装置（10）へ流入する。調湿装置（10）では、冷却された室内空気を、吸着動作の行われる吸着熱交換器（51,52）へ流入させた後、室外へ排気する。
【０１３３】
上記実施形態２によれば、冷媒回路（110）の圧縮機（105）と室外熱交換器（103）との間に予備熱交換器（120）を設置するようにした。このため、冷房運転時には、室外熱交換器（103）に流入する前の高圧冷媒で、調湿装置（10）へ取り込まれる室内空気を、予備加熱することができる。これにより、室外熱交換器（103）で放熱する前の高圧冷媒を利用するため、予備加熱の効果をより大きくすることができる。
【０１３４】
また、暖房運転時には、室外熱交換器（103）から流出した後の低圧冷媒で、調湿装置（10）へ取り込まれる室内空気を予め冷却するようにした。つまり、従来は、利用していなかった低圧冷媒で、調湿装置（10）へ取り込まれる室内空気を予備冷却している。これにより、調湿装置（10）で吸着動作が行われる吸着熱交換器（51,52）の冷却能力を抑えることができる。これらの結果、空調システムの省エネルギ化を図ることができる。その他の構成・作用及び効果は実施形態１と同様である。
【０１３５】
〈発明の実施形態３〉
次に実施形態３について図面を用いて説明する。
【０１３６】
図１０に示すように、本実施形態３に係る空調システム（1c）では、上記実施形態２の空調装置（100）に代えて、空調装置（100）の冷媒回路（110）において、室外熱交換器（103）をバイパスするバイパス通路（125）を設け、バイパス通路（125）に予備熱交換器（120）を設けるようにしたものである。このバイパス通路（125）は、本発明に係るバイパス通路を構成するものである。
【０１３７】
具体的に、実施形態３に係る空調装置（100）の冷媒回路（110）には、冷媒回路（110）を循環する冷媒の一部が流れるバイパス通路（125）が接続され、該バイパス通路（125）の途中に予備熱交換器（120）が設けられている。
【０１３８】
バイパス通路（125）は、一端が室外熱交換器（103）の流入側（冷房運転時）に接続され、他端が室外熱交換器（103）の流出側（冷房運転時）に接続される冷媒通路に構成される。つまり、バイパス通路（125）を流れる冷媒は、途中で予備熱交換器（120）を通過するよう構成されている。
【０１３９】
空調装置（100）の冷房運転時では、圧縮機（105）から吐出された冷媒の一部が、バイパス通路（125）に流入する。そして、バイパス通路（125）を流れる冷媒は、予備熱交換器（120）で室内側空気配管（23a）を流れる室内空気に放熱して凝縮する。一方、圧縮機（105）から吐出された残りの冷媒は、室外熱交換器（103）へ流入する。そして、室外熱交換器（103）へ流入した冷媒は、放熱して凝縮する。室外熱交換器（103）を流出した冷媒は、バイパス通路（125）から流出した冷媒と合流する。その後、合流した冷媒は、電動膨張弁（106）を通過する際に減圧され、その後に室内熱交換器（104）で吸熱して蒸発する。室内熱交換器（104）で蒸発した冷媒は、圧縮機（105）へ吸入されて圧縮され、再び圧縮機（105）から吐出される。
【０１４０】
予備熱交換器（120）で加熱された室内空気は、室内側空気配管（23a）を流れて除湿運転中の調湿装置（10）へ流入する。調湿装置（10）では、加熱された室内空気を、再生動作の行われる吸着熱交換器（51,52）へ流入させた後、室外へ排気する。
【０１４１】
空調装置（100）の暖房運転時では、圧縮機（105）から吐出された冷媒は、室内熱交換器（104）で放熱して凝縮する。室内熱交換器（104）で凝縮した冷媒は、電動膨張弁（106）を通過する際に減圧される。減圧された冷媒の一部が、バイパス通路（125）に流入する。そして、バイパス通路（125）を流れる冷媒は、予備熱交換器（120）で室内側空気配管（23a）を流れる室内空気から吸熱して蒸発する。一方、減圧された残りの冷媒は、室外熱交換器（103）へ流入する。そして、室外熱交換器（103）へ流入した冷媒は、室外熱交換器（103）で吸熱して蒸発する。室外熱交換器（103）を流出した冷媒は、バイパス通路（125）から流出した冷媒と合流する。その後、合流した冷媒は、圧縮機（105）へ吸入されて圧縮され、再び圧縮機（105）から吐出される。
【０１４２】
予備熱交換器（120）で冷却された室内空気は、室内側空気配管（23a）を流れて加湿運転中の調湿装置（10）へ流入する。調湿装置（10）では、冷却された室内空気を、吸着動作の行われる吸着熱交換器（51,52）へ流入させた後、室外へ排気する。
【０１４３】
上記実施形態３によれば、冷媒回路（110）に室外熱交換器（103）をバイパスするバイパス通路（125）を設けた。このため、冷房運転時には、室外熱交換器（103）で未凝縮状態の高圧冷媒を予備熱交換器（120）へ流入させることができる一方、暖房運転時には、室外熱交換器（103）で未蒸発状態の低圧冷媒を予備熱交換器（120）へ流入させることができる。つまり、室外熱交換器（103）で未凝縮又は未蒸発の冷媒でもって、予備加熱又は予備冷却を行うことができる。これにより、予備熱交換器（120）での予備加熱能力及び予備冷却能力を増加させることができる。この結果、空気調和システムの省エネルギ化を図ることができる。その他の構成・作用及び効果は、実施形態１と同様である。
【０１４４】
−実施形態３の変形例−
次に、図１１に示すように、実施形態３に係る空調システム（1c）の変形例について説明する。
【０１４５】
本変形例は、実施形態３の冷媒回路（110）に吸入管温度センサ（111）と、流量調節弁（126）と、ファン制御部（7b）とを設けるようにしたものである。
【０１４６】
上記吸入管温度センサ（111）は、暖房運転時における室外熱交換器（103）の流入側に配置され、冷媒温度を計測する冷媒温度計測手段を構成するものである。上記吸入管温度センサ（111）は、空調制御部（7a）に接続され、計測した冷媒温度データを送っている。尚、本発明に係る冷媒温度計測手段は、上記実施形態３の変形例に係る吸入管温度センサ（111）に限定されるものではなく、例えば空調装置（100）の冷媒回路（110）に設けられる高圧圧力センサ（図示なし）及び低圧圧力センサ（図示なし）の計測値や、その他の空調装置（100）に設けられる圧力計（図示なし）の計測値から暖房運転時における室外熱交換器（103）の流入側の冷媒温度を演算するようにしてもよい。
【０１４７】
上記流量調節弁（126）は、バイパス通路（125）を流れる冷媒の流量を調節する流量調節手段を構成するものである。流量調節弁（126）は、開閉弁に構成され、冷媒回路（110）とバイパス通路（125）の一端側との接続位置と、予備熱交換器（120）との間に設けられている。つまり、流量調節弁（126）は、バイパス通路（125）を流れる冷媒量を調節する流量調節手段を構成するものである。流量調節弁（126）は、空調制御部（7a）に接続され、該空調制御部（7a）に、その開閉動作を制御されている。
【０１４８】
上記ファン制御部（7b）は、室外ファン（107）に接続され、該室外ファン（107）を制御するファン制御部を構成するものである。このファン制御部（7b）は、ファン回転数を調節することで室外ファン（107）の風量を調節している。
【０１４９】
空調制御部（7a）では、吸入管温度センサ（111）から入力された冷媒温度データと、前述した室内温度センサから入力された室内温度データとを逐一比較し、冷媒温度が室内温度の露点温度以下であることを検知すると、流量調節弁（126）を閉鎖する。流量調節弁（126）が閉鎖すると、バイパス通路（125）内を冷媒が循環しなくなるため、予備熱交換器（120）を通過する室内空気との間で熱交換が行われなくなる。また、空調装置（100）の冷房運転時では、ファン制御部（7b）は、バイパス通路（125）に流入した冷媒量（すなわち、予備熱交換器（120）での放熱量）に応じて室外ファン（107）の回転数を低下させる。したがって、室外ファン（107）から室外熱交換器（103）へ吹き出されるファン風量が低下する。一方、空調装置（100）の暖房運転時では、ファン制御部（7b）は、バイパス通路（125）に流入した冷媒量（すなわち、予備熱交換器（120）での蒸発量）に応じて室外ファン（107）の回転数を低下させる。したがって、室外ファン（107）から室外熱交換器（103）へ吹き出されるファン風量が低下する。
【０１５０】
上記本変形例によれば、バイパス通路（125）に流量調節弁（126）を設けたため、予備熱交換器（120）へ流入する冷媒の流量を調節することができる。したがって、流量調節弁（126）によって、予備熱交換器（120）における予備加熱量及び予備冷却量を調節することができる。これにより、空調装置（100）が室内（3）の空気調和に必要な冷媒循環量を確保することができると共に、余った冷媒の排熱を利用して予備加熱及び予備冷却を行うことができる。この結果、空調システム（1c）の省エネルギ化を図ることができる。
【０１５１】
また、吸入管温度センサ（111）を設けたため、冷房運転時の室外熱交換器（103）の流入側の冷媒温度を計測することができる。また、計測した冷媒温度が、室内空気の露点温度以下であると、流量調節弁（126）を閉鎖してバイパス通路（125）の冷媒循環を停止するようにしたため、室内空気の露点温度以下の冷媒が、予備熱交換器（120）へ流入するのを防止することができる。これらにより、予備熱交換器（120）で室内空気が結露するのを確実に防止することができる。
【０１５２】
また、バイパス通路（125）へ流入させる冷媒量に応じて室外ファン（107）の送風量を低下させて、室外熱交換器（103）に流入する冷媒量に応じた空気を該室外熱交換器（103）に送風させるようにした。これにより、予備熱交換器（120）へ流入させた冷媒量（熱交換量）分のファン風量を抑えることができるため、室外ファン（107）を動作させる電力を削減することができる。その他の構成・作用及び効果は実施形態３と同様である。
【０１５３】
〈その他の実施形態〉
本発明は、上記実施形態１〜３について、以下のような構成としてもよい。
【０１５４】
本実施形態１〜３では、吸着熱交換器（51,52）で吸着剤を加熱冷却させるタイプの調湿装置（10）に本発明を適用したが、本発明は、その他の温水や冷水を用いた加熱冷却手段で吸着剤を加熱冷却させる調湿装置（10）にも適用することができる。
【０１５５】
また、実施形態１では、熱伝達媒体として予備熱交換回路（115）を循環する冷媒を用いて予備加熱及び予備冷却を行うようにしたが、本発明に係る予備熱交換回路（115）に用いられる熱伝達媒体は、冷媒に限定されるものではなく、例えば、水（冷却水及び温水）等の熱伝達媒体を介して予備加熱又は予備冷却を行うようにしてもよい。
【０１５６】
尚、以上の実施形態は、本質的に好ましい例示であって、本発明、その適用物、あるいはその用途の範囲を制限することを意図するものではない。
【産業上の利用可能性】
【０１５７】
以上説明したように、本発明は、調湿装置と空調装置とを有する空調システムの省エネルギ対策について有用である。
【図面の簡単な説明】
【０１５８】
【図１】実施形態１に係る空調システムを示す概略配置図である。
【図２】実施形態１に係る前面側から視た調湿装置を示す斜視図である。
【図３】実施形態１に係る調湿装置を示す平面図、左側面図および右側面図である。
【図４】実施形態１に係る冷媒回路を示す配管系統図である。
【図５】実施形態１に係る調湿装置の除湿運転の第１動作における空気の流れを示す平面図、左側面図および右側面図である。
【図６】実施形態１に係る調湿装置の除湿運転の第２動作における空気の流れを示す平面図、左側面図および右側面図である。
【図７】実施形態１に係る調湿装置の加湿運転の第１動作における空気の流れを示す平面図、左側面図および右側面図である。
【図８】実施形態１に係る調湿装置の加湿運転の第２動作における空気の流れを示す平面図、左側面図および右側面図である。
【図９】実施形態２に係る空調システムを示す概略配置図である。
【図１０】実施形態３に係る空調システムを示す概略配置図である。
【図１１】実施形態３の変形例に係る空調システムを示す概略配置図である。
【符号の説明】
【０１５９】
３            室内
７ｂ          ファン制御部
１０          調湿装置
２３ａ        室内側空気配管
１００        空調装置
１０３        室外熱交換器
１０４        室内熱交換器
１０５        圧縮機（空調装置）
１０６        電動膨張弁
１０７        室外ファン
１１０        冷媒回路
１１１        吸入管温度センサ
１１４        予備熱交換部
１１５        予備熱交換回路
１１６        第１予備熱交換器
１１７        第２予備熱交換器
１１９        冷媒管
１２０        予備熱交換器
１２５        バイパス通路
１２６        流量調節弁
【図１】
2010121876.tif 000003
【図２】
2010121876.tif 000004
【図３】
2010121876.tif 000005
【図４】
2010121876.tif 000006
【図５】
2010121876.tif 000007
【図６】
2010121876.tif 000008
【図７】
2010121876.tif 000009
【図８】
2010121876.tif 000010
【図９】
2010121876.tif 000011
【図１０】
2010121876.tif 000012
【図１１】
2010121876.tif 000013